【手続補正書】
【提出日】平成18年7月31日(2006.7.31)
【手続補正１】
【補正対象書類名】明細書
【補正対象項目名】特許請求の範囲
【補正方法】変更
【補正の内容】
【特許請求の範囲】
【請求項１】  操作者が原稿画像の読み取りを指示するための操作手段と、
前記操作手段の操作に応答して原稿画像を読み取る原稿読取手段と、
前記操作者の指紋パターンを読み取る指紋読取手段と、
前記指紋読取手段により読み取られた読取指紋パターンに基づいて操作者に関する操作者情報を取得する取得手段と、
前記操作者情報に基づいて特定されるクライアントコンピュータに対してネットワークを介して読取原稿画像を転送する画像転送手段と、
を備えることを特徴とする画像処理システム。
【請求項２】  操作者が原稿画像の読み取りを指示するための操作手段と、
前記操作手段の操作に応答して原稿画像を読み取る原稿読取手段と、
前記操作者の指紋パターンを読み取る指紋読取手段と、
前記指紋読取手段により読み取られた指紋パターンに基づいて操作者に関する操作者情報を取得する取得手段と、
読取原稿画像を、前記操作者情報に基づいて特定される操作者の所有物として、ネットワークを介してサーバに転送する画像転送手段と、
を備えることを特徴とする画像処理システム。
【請求項３】  前記取得手段は、読取指紋パターンをネットワークを介してサーバに転送し、これに応答して前記サーバから前記ネットワークを介して送られてくる操作者情報を取得することを特徴とする請求項１又は請求項２に記載の画像処理システム。
【請求項４】  前記指紋読取手段は、前記操作手段に組み込まれていることを特徴とする請求項１乃至請求項３のいずれか１項に記載の画像処理システム。
【請求項５】  前記指紋読取手段は、前記操作手段が操作者によって操作される時に該操作者の指紋パターンを読み取ることを特徴とする請求項１乃至請求項４のいずれか１項に記載の画像処理システム。
【請求項６】  操作者が原稿画像の読み取りを指示するための操作手段と、
前記操作手段の操作に応答して原稿画像を読み取る原稿読取手段と、
前記操作者の指紋パターンを読み取る指紋読取手段と、
読取原稿画像と読取指紋パターンとをネットワークを介して情報処理装置に転送する転送手段と、
を備えることを特徴とする画像処理システム。
【請求項７】  操作者の操作に応答して原稿画像を読み取る原稿読取工程と、
前記操作者の指紋パターンを読み取る指紋読取工程と、
前記指紋読取工程において読み取られた指紋パターンに基づいて操作者に関する操作者情報を取得する取得工程と、
前記操作者情報に基づいて特定されるクライアントコンピュータに対してネットワークを介して読取原稿画像を転送する画像転送工程と、
を含むことを特徴とする画像処理システムの制御方法。
【請求項８】  操作者の操作に応答して原稿画像を読み取る原稿読取工程と、
前記操作者の指紋パターンを読み取る指紋読取工程と、
前記指紋読取工程において読み取られた指紋パターンに基づいて操作者に関する操作者情報を取得する取得工程と、
読取原稿画像を、前記操作者情報に基づいて特定される操作者の所有物として、ネットワークを介してサーバに転送する画像転送工程と、
を含むことを特徴とする画像処理システムの制御方法。
【請求項９】  前記取得工程では、読取指紋パターンをネットワークを介してサーバに転送し、これに応答して前記サーバから前記ネットワークを介して送られてくる操作者情報を取得することを特徴とする請求項７又は請求項８に記載の画像処理システムの制御方法。
【請求項１０】  操作者の操作に応答して原稿画像を読み取る原稿読取工程と、
前記操作者の指紋パターンを読み取る指紋読取工程と、
読取原稿画像と読取指紋パターンとをネットワークを介して情報処理装置に転送する転送工程と、
を含むことを特徴とする画像処理システムの制御方法。
【手続補正２】
【補正対象書類名】明細書
【補正対象項目名】発明の名称
【補正方法】変更
【補正の内容】
【発明の名称】画像処理システム及びその制御方法
【手続補正３】
【補正対象書類名】明細書
【補正対象項目名】０００１
【補正方法】変更
【補正の内容】
【０００１】
【発明の属する技術分野】
本発明は、画像処理システム及びその制御方法に関する。
【手続補正４】
【補正対象書類名】明細書
【補正対象項目名】０００６
【補正方法】変更
【補正の内容】
【０００６】
【課題を解決するための手段】
本発明の第１の側面は、画像処理システムに係り、前記システムは、操作者が原稿画像の読み取りを指示するための操作手段と、前記操作手段の操作に応答して原稿画像を読み取る原稿読取手段と、前記操作者の指紋パターンを読み取る指紋読取手段と、前記指紋読取手段により読み取られた読取指紋パターンに基づいて操作者に関する操作者情報を取得する取得手段と、前記操作者情報に基づいて特定されるクライアントコンピュータに対してネットワークを介して読取原稿画像を転送する画像転送手段とを備える。
【手続補正５】
【補正対象書類名】明細書
【補正対象項目名】０００７
【補正方法】変更
【補正の内容】
【０００７】
本発明の第２の側面は、画像処理システムに係り、前記システムは、操作者が原稿画像の読み取りを指示するための操作手段と、前記操作手段の操作に応答して原稿画像を読み取る原稿読取手段と、前記操作者の指紋パターンを読み取る指紋読取手段と、前記指紋読取手段により読み取られた指紋パターンに基づいて操作者に関する操作者情報を取得する取得手段と、読取原稿画像を、前記操作者情報に基づいて特定される操作者の所有物として、ネットワークを介してサーバに転送する画像転送手段とを備える。
【手続補正６】
【補正対象書類名】明細書
【補正対象項目名】０００８
【補正方法】変更
【補正の内容】
【０００８】
本発明の好適な実施形態によれば、前記取得手段は、読取指紋パターンをネットワークを介してサーバに転送し、これに応答して前記サーバから前記ネットワークを介して送られてくる操作者情報を取得することが好ましい。
【手続補正７】
【補正対象書類名】明細書
【補正対象項目名】０００９
【補正方法】変更
【補正の内容】
【０００９】
本発明の好適な実施形態によれば、前記指紋読取手段は、前記操作手段に組み込まれていることが好ましい。
【手続補正８】
【補正対象書類名】明細書
【補正対象項目名】００１０
【補正方法】変更
【補正の内容】
【００１０】
本発明の好適な実施形態によれば、前記指紋読取手段は、前記操作手段が操作者によって操作される時に該操作者の指紋パターンを読み取ることが好ましい。
【手続補正９】
【補正対象書類名】明細書
【補正対象項目名】００１１
【補正方法】変更
【補正の内容】
【００１１】
本発明の第３の側面は、画像処理システムに係り、前記システムは、操作者が原稿画像の読み取りを指示するための操作手段と、前記操作手段の操作に応答して原稿画像を読み取る原稿読取手段と、前記操作者の指紋パターンを読み取る指紋読取手段と、読取原稿画像と読取指紋パターンとをネットワークを介して情報処理装置に転送する転送手段とを備える。
【手続補正１０】
【補正対象書類名】明細書
【補正対象項目名】００１２
【補正方法】変更
【補正の内容】
【００１２】
本発明の第４の側面は、画像処理システムの制御方法に係り、前記制御方法は、操作者の操作に応答して原稿画像を読み取る原稿読取工程と、前記操作者の指紋パターンを読み取る指紋読取工程と、前記指紋読取工程において読み取られた指紋パターンに基づいて操作者に関する操作者情報を取得する取得工程と、前記操作者情報に基づいて特定されるクライアントコンピュータに対してネットワークを介して読取原稿画像を転送する画像転送工程とを含む。
【手続補正１１】
【補正対象書類名】明細書
【補正対象項目名】００１３
【補正方法】変更
【補正の内容】
【００１３】
本発明の第５の側面は、画像処理システムの制御方法に係り、前記制御方法は、操作者の操作に応答して原稿画像を読み取る原稿読取工程と、前記操作者の指紋パターンを読み取る指紋読取工程と、前記指紋読取工程において読み取られた指紋パターンに基づいて操作者に関する操作者情報を取得する取得工程と、読取原稿画像を、前記操作者情報に基づいて特定される操作者の所有物として、ネットワークを介してサーバに転送する画像転送工程とを含む。
【手続補正１２】
【補正対象書類名】明細書
【補正対象項目名】００１４
【補正方法】変更
【補正の内容】
【００１４】
本発明の好適な実施形態によれば、前記取得工程では、読取指紋パターンをネットワークを介してサーバに転送し、これに応答して前記サーバから前記ネットワークを介して送られてくる操作者情報を取得することが好ましい。
【手続補正１３】
【補正対象書類名】明細書
【補正対象項目名】００１５
【補正方法】変更
【補正の内容】
【００１５】
本発明の第６の側面は、画像処理システムの制御方法に係り、前記制御方法は、操作者の操作に応答して原稿画像を読み取る原稿読取工程と、前記操作者の指紋パターンを読み取る指紋読取工程と、読取原稿画像と読取指紋パターンとをネットワークを介して情報処理装置に転送する転送工程とを含む。
【手続補正１４】
【補正対象書類名】明細書
【補正対象項目名】００１６
【補正方法】削除
【補正の内容】
【手続補正１５】
【補正対象書類名】明細書
【補正対象項目名】００３９
【補正方法】変更
【補正の内容】
【００３９】
【発明の効果】
本発明によれば、例えば、原稿の読み取りを指示した操作者を認識させる作業を容易化することができる。